(57)【特許請求の範囲】
【請求項１】
メインコンデンサを充電する充電回路と、前記メインコンデンサに蓄えられている電力の放出によって閃光発光する発光部と、を有するストロボ装置と、前記充電回路に電力を供給するとともに前記ストロボ装置以外のカメラ回路に電力を供給する電源部と、メインコンデンサの充電電圧を検知する充電電圧検知手段と、充電開始から充電電圧が満充電レベル手前の発光可能電圧に到達するまでの期間は前記カメラ回路の機能を停止させるとともに第１の充電電流値によってストロボ充電を行い、充電電圧が発光可能電圧に到達した以降から満充電レベルに至るまでは前記第１の充電電流値よりも小さい第２の充電電流値に切り替えてストロボ充電を続行させるとともに前記カメラ回路の作動を許容して撮影可能状態にする制御部と、を備えたストロボ装置付きカメラ。
【請求項２】
メインコンデンサを充電する充電回路と、前記メインコンデンサに蓄えられている電力の放出によって閃光発光する発光部と、を有するストロボ装置と、前記充電回路に電力を供給するとともに前記ストロボ装置以外のカメラ回路に電力を供給する電源部と、メインコンデンサの充電電圧を検知する充電電圧検知手段と、充電開始から充電電圧が満充電レベル手前の発光可能電圧よりも更に所定量だけ低い設定電圧に到達するまでの期間は前記カメラ回路の機能を停止させるとともに第１の充電電流値によってストロボ充電を行い、充電電圧が前記設定電圧に到達した以降は前記第１の充電電流値よりも小さい第２の充電電流値に切り替えてストロボ充電を続行させるとともに前記カメラ回路を起動させる制御部と、を備えたストロボ装置付きカメラ。
【請求項３】
前記制御部は、充電電流を第１の充電電流値から第２の充電電流値へ切り替える時に前記カメラ回路を起動させることを特徴とする請求項１記載のストロボ装置付きカメラ。
【請求項４】
前記電源部が供給することができる電力を検知する最大電力検知手段と、前記最大電力検知手段の検知結果に基づき当該電源部の供給可能電力に応じて前記第１及び第２の充電電流値のうち少なくとも一方の値を変更し得る自動設定手段と、を備えたことを特徴とする請求項１記載のストロボ装置付きカメラ。
【請求項５】
前記電源部が供給することができる電力を検知する最大電力検知手段と、前記最大電力検知手段の検知結果に基づき当該電源部の供給可能電力に応じて前記設定電圧、前記第１及び第２の充電電流値のうち少なくとも一つの値を変更し得る自動設定手段と、を備えたことを特徴とする請求項２記載のストロボ装置付きカメラ。
【請求項６】
前記カメラ回路には、撮像素子と、前記撮像素子から出力される信号を処理して画像データを作成する信号処理回路と、前記画像データに基づいて画像を表示する画像表示装置と、が含まれることを特徴とする請求項１又は２記載のストロボ装置付きカメラ。
【請求項７】
前記制御部は前記満充電レベル到達後前記第２の充電電流値よりも小さい第３の充電電流値に切り替えてストロボ充電を続行させることを特徴とする請求項１、３または４に記載のストロボ装置付きカメラ。
【発明の詳細な説明】
【０００１】
【発明の属する技術分野】
本発明はストロボ装置付きカメラに係り、特に銀塩カメラやデジタルカメラなどに内蔵又は外部接続されるストロボ装置の充電制御技術に関する。
【０００２】
【従来の技術】
近年ストロボ装置を内蔵した銀塩カメラや電子スチルカメラは、ストロボの電源と、カメラ制御回路（ＣＣＤ駆動回路及びＬＣＤ駆動回路等を含む回路）の電源とが共用される傾向にあるが、ストロボ装置の充電開始初期には負荷が重いためカメラ制御回路部に対し正常な作動を保証する駆動電圧を供給できない問題が生じる。このため、充電中は他の制御回路を作動させない、又は制御回路を作動させる時には充電を中断するという制御シーケンスが採用されていることが多い（特許第２５２１１２８号）。
【０００３】
【発明が解決しようとする課題】
しかしながら、上記従来のカメラの場合、ストロボ装置のメインコンデンサが満充電（フル充電）に達した後にカメラ制御回路の作動を開始させているため、充電時間に加えて液晶ディスプレイ（ＬＣＤ）が表示可能になるまでの準備時間（ＬＣＤの立ち上がり時間）や、ＣＣＤによる撮像が可能になるまでのＣＣＤ駆動準備時間などのシーケンスが終わるまで次の撮影ができず、シャッターチャンスを逃してしまうという欠点がある。
【０００４】
この点、特開平１０−８００６９号公報には、ストロボ装置におけるメインコンデンサの発光可能電圧を検知して、フル充電より前に撮影可能とするカメラが提案されているが、液晶モニターへの画像表示後に撮影可能とする電子スチルカメラの場合、ＬＣＤの駆動に比較的大きな電流を消費するので、実際にはフル充電の完了まで液晶表示は行われない。したがって、結局上述と同様に撮影可能な状態に至るまでの時間が長く、シャッターチャンスを逃してしまうという不具合がある。
【０００５】
その一方、特開平６−２０５２７７号公報に開示されているストロボ装置付きの撮像装置は、発光可能な電圧に達した時点で充電を中止し、液晶表示を行うようにしているので、撮影可能な状態に至る時間を短くすることができるが、ガイドナンバーの低下や発光可能時間が短くなるという問題がある。
【０００６】
本発明はこのような事情に鑑みてなされたもので、ストロボの性能を低下させることなく、充電電圧が発光可能な領域に到達したら直ちに撮影できる速写性の高いストロボ装置付きカメラを提供することを目的とする。
【０００７】
【課題を解決するための手段】
前記目的を達成するために本発明に係るストロボ装置付きカメラは、メインコンデンサを充電する充電回路と、前記メインコンデンサに蓄えられている電力の放出によって閃光発光する発光部と、を有するストロボ装置と、前記充電回路に電力を供給するとともに前記ストロボ装置以外のカメラ回路に電力を供給する電源部と、メインコンデンサの充電電圧を検知する充電電圧検知手段と、充電開始から充電電圧が満充電レベル手前の発光可能電圧に到達するまでの期間は前記カメラ回路の機能を停止させるとともに第１の充電電流値によってストロボ充電を行い、充電電圧が発光可能電圧に到達した以降は前記第１の充電電流値よりも小さい第２の充電電流値に切り替えてストロボ充電を続行させるとともに前記カメラ回路の作動を許容して撮影可能状態にする制御部と、を備えたことを特徴としている。
【０００８】
本発明によれば、電源部はストロボ装置及びカメラ回路の電源として共用され、制御部はカメラがより短時間で撮影可能な状態になるようにメインコンデンサの充電と、カメラ回路の動作を制御する。すなわち、充電開始時はカメラ回路の機能を停止し、ストロボ充電回路に大きな電流（第１の充電電流値）を流して急速に充電を行う。その後充電電圧が満充電レベル手前の撮影可能レベル（発光可能電圧）に到達したら、以後充電電流を下げて第２の充電電流値により充電を継続する一方、撮影開始指示の受入に応じて撮影動作可能な撮影可能状態にする。
【０００９】
かかる制御方法を採用することで、発光可能電圧に到達直後、極めて短時間で撮影することができ、満充電到達後にカメラ回路の起動を開始していた従来のカメラに比べて、シャッターシーケンスの短縮を図ることができる。しかも、発光可能電圧到達以降も第２の充電電流値によって充電を継続しているので、ガイドナンバーが低下したり、発光可能時間が短くなるといった不具合も生じない。
【００１０】
本発明の他の態様に係るストロボ装置付きカメラは、前述の制御部に代えて、充電開始から充電電圧が満充電レベル手前の発光可能電圧よりも更に所定量だけ低い設定電圧に到達するまでの期間は前記カメラ回路の機能を停止させるとともに第１の充電電流値によってストロボ充電を行い、充電電圧が前記設定電圧に到達した以降は前記第１の充電電流値よりも小さい第２の充電電流値に切り替えてストロボ充電を続行させるとともに前記カメラ回路を起動させる制御部を備えていることを特徴としている。
【００１１】
この発明によれば、充電開始時はカメラ回路の機能を停止し、ストロボ充電回路に大きな電流（第１の充電電流値）を流して急速充電を行う。その後充電電圧が撮影可能レベル（発光可能電圧）よりも所定量だけ低い設定電圧に到達したら、以後充電電流を下げて第２の充電電流値により充電を継続し、かかる充電電流の切り替えと同時にカメラ回路の起動を開始する。第２の充電電流値による充電動作が進行し、充電電圧が発光可能電圧に到達するのと略同タイミングでカメラ回路も立ち上がり、撮影可能な状態となる。
【００１２】
このようにカメラ回路を早めに起動させるようにしたので従来のカメラに比べて撮影準備時間を短縮でき、更に、発光可能電圧到達後も第２の充電電流値によって充電を続行しているので、ストロボ性能の低下という不具合も生じない。
【００１３】
また、本発明の他の態様として、前記電源部が供給することができる電力を検知する最大電力検知手段と、前記最大電力検知手段の検知結果に基づき当該電源部の供給可能電力に応じて前記設定電圧や前記第１及び第２の充電電流値を適宜変更し得る自動設定手段と、を付加することが望ましい。
【００１４】
特に、本発明は液晶モニター付き電子スチルカメラのように、撮像素子と、前記撮像素子から出力される信号を処理して画像データを作成する信号処理回路と、前記画像データに基づいて画像を表示する画像表示装置と、をカメラ回路に含むカメラに適用すると効果的である。
【００１５】
【発明の実施の形態】
以下添付図面に従って本発明に係るストロボ装置付きカメラの好ましい実施の形態について説明する。
【００１６】
図１は本発明の実施の形態に係るストロボ装置付きカメラにおける制御システムの構成を示すブロック図である。このカメラ１０は、主として電源部１２、電源部１２から供給可能な電力を検知する最大電力検知回路１４、システムコントローラ（以下、シスコンという。）１６、シスコン１６を駆動するための電源を供給するＤＣＤＣコンバータ１８、ストロボ充電回路２０、液晶ディスプレイ（ＬＣＤ）を駆動するためのＬＣＤバックライト回路２２、ＬＣＤバックライト回路２２を駆動するための電源を供給するＤＣＤＣコンバータ２４、ＣＣＤ固体撮像素子（以下、ＣＣＤという。）とその駆動回路及びＣＣＤ出力信号を処理するアナログ処理回路等を含む撮像回路２６、撮像回路２６を駆動する電源を供給するＤＣＤＣコンバータ２８、撮像回路２６のアナログ処理部を経た画像データをデジタル処理するデジタル回路３０、デジタル回路３０を駆動するための電源を供給するＤＣＤＣコンバータ３２等から構成される。
【００１７】
電源部１２は各ＤＣＤＣコンバータ１８、２４、２８、３２及びストロボ充電回路２０に電力を供給するもので、例えば電池が用いられる。最大電力検知回路１４は、例えば小さな抵抗値の電気抵抗を有し、該電気抵抗に流れる電流値を測定することにより電源部１２の最大電力を検知する。
【００１８】
シスコン１６は中央演算処理装置（ＣＰＵ）を主体とし、その他の機能をサポートする周辺回路を備えたものであり、所定の制御プログラムに従って各回路を制御するとともに、各ＤＣＤＣコンバータ１８、２４、２８の制御等を行う。ストロボ充電回路２０は充電電圧検知回路３４及び充電電流制御回路３６を含む。
【００１９】
ストロボ装置の詳細な構成は図示しないが、ストロボ装置は周知の如く、メインコンデンサ及びキセノン管（発光部）を有し、メインコンデンサに蓄えられている電力をシャッターボタンの押圧操作に呼応して放出することによりキセノン管を閃光発光させるように構成されている。
【００２０】
次に、上記構成のストロボ装置付きカメラの動作について説明する。
【００２１】
はじめに、一般的な充電制御方法を説明しておく。図示せぬ電源スイッチの操作によって本システムに電源が投ぜられると、シスコン１６の指示によりカメラ１０を撮影可能状態にするためにストロボ充電回路２０を起動させメインコンデンサへの充電を開始する。メインコンデンサの電圧は充電電圧検知回路３４によって監視され、その検知結果は充電電流の制御のみならず、ＬＣＤその他のカメラ回路の制御に利用される。
【００２２】
充電の開始に伴いメインコンデンサの電圧が上昇し、事前に設定されている撮影可能電圧（発光可能電圧）以上になると、撮影可能電圧に達したことを示す信号Ｃok（ストロボ充電完了信号という。）がストロボ充電回路２０からシスコン１６に通知される。
【００２３】
その後もタイマーによって充電状態を一定時間続行するとメインコンデンサの電圧は更に上昇し、やがて一定電圧のままそれ以上電圧が上昇しない状態（満充電状態という。）になる。メインコンデンサが満充電状態に至ると、シスコン１６は次のような命令を行う。第１はカメラ使用者に当該カメラが撮影可能な状態であることを知らせるべく所定の情報提示手段に指令を与える。情報提示の形態としては、例えば、ランプ点灯、メッセージ表示等がある。第２はストロボ充電回路２０の充電動作を停止（オフ）させる。なお、充電動作をオフすると高圧ラインに接続されている抵抗によりメインコンデンサの電圧は少しずつ低下する。第３はＬＣＤバックライト回路用のＤＣＤＣコンバータ２４を起動し、ＬＣＤバックライト回路２２に電源を供給する。第４は撮像回路用のＤＣＤＣコンバータ２８を起動し、撮像回路２６に電源を供給する。こうしてＬＣＤ及び撮像回路２６等が立ち上がった時に撮影待機状態となる。
【００２４】
この撮影待機状態では撮像回路２６中のＣＣＤによって撮像信号が得られ、その撮像信号に所定のアナログ信号処理が施された後、デジタル回路３０に提供される。デジタル回路３０において輝度信号及び色差信号の生成、ガンマ補正など周知のデジタル画像処理が施される。デジタル処理を経た画像データはＬＣＤに供給され、ＬＣＤの画面上に画像が表示される。このＬＣＤ表示はいわゆるムービー状態であり、撮像部が捉えている映像が動画として表示される。
【００２５】
撮影待機状態においてシャッターボタンが押されると、カメラは撮影モード状態になり、シャッターボタンの押圧操作に呼応して画像データの取り込みを行うとともに、その取得した画像データの記録（書き込み）動作を開始する。
【００２６】
上述のカメラ制御シーケンスを消費電流の観点から整理すると以下の通りとなる。
【００２７】
まず、ストロボ充電時の消費電流は図２に示すようになる。すなわち、充電開始時から一定の電流値Ｉ1 によってメインコンデンサの充電が行われ、撮影可能電圧に達した時にその旨を示す信号（ストロボ充電完了信号）Ｃokがストロボ充電回路２０からシスコン１６に出力される。ストロボ充電完了信号Ｃokが出力されるタイミングＴ1 から更にＴa の期間だけ充電動作を継続することによってメインコンデンサの電圧を十分高くし、満充電レベルまで充電する。これにより、ストロボ充電動作停止（Ｔ2 ）以後に、メインコンデンサの電圧が撮影可能電圧以下に下がりすぎるのを防止している。
【００２８】
次に、ＬＣＤの消費電流を図３に示す。ＬＣＤの立ち上げをＴ3 のタイミングで開始すると、実際にＬＣＤの画面に映像が映し出されるまでにはタイムラグ（Ｔb ）があり、Ｔ4 のタイミングからモニター画を見ることができるようになる。なお、モニター画の表示が行われる時の消費電流値はＩ2 である。
【００２９】
図２で説明したメインコンデンサの充電動作終了（Ｔ2 ）後に、図３に示したＬＣＤの立ち上げシーケンスを開始した場合の消費電流は図４に示すようになる。図４に示す制御シーケンスを採用する場合、ストロボ充電完了信号（Ｃok）の出力からモニター画の出力が得られるまでに要する時間はＴa ＋Ｔb となる。
【００３０】
これに対して、本発明の実施の形態に係るストロボ装置付きカメラのシステムでは、次のような制御方法が採用されている。図５には本発明によるストロボ充電時の消費電流が示されている。
【００３１】
まず、図示しない電源スイッチの操作によりカメラシステムに電源が投ぜられると、シスコン１６の指示によりカメラ１０を撮影可能状態にするためにストロボ充電回路２０を起動させメインコンデンサへの充電を開始する。この時の充電電流値（第１の充電電流値）はＩ1 とする。充電中メインコンデンサの電圧は充電電圧検知回路３４によって監視される。
【００３２】
その後、充電電圧が撮影可能電圧に達したことが検知されると、ストロボ充電回路２０からストロボ充電完了信号（Ｃok）が出力される。シスコン１６はストロボ充電回路２０から発せられるストロボ充電完了信号（Ｃok）の受入に呼応して充電電流制御回路３６の充電電流設定端子をＩ3 （第２の充電電流値に相当）に設定し、充電電流を下げて充電を続行する。これと同時にシスコン１６の指示によりＬＣＤバックライト回路用のＤＣＤＣコンバータ２４を起動し、ＬＣＤバックライト回路２２に電源を供給するともに、撮像回路用のＤＣＤＣコンバータ２８を起動し、撮像回路２６に電源を供給する。やがてＬＣＤが立ち上がり、撮影可能な状態（撮影待機状態）となる。このとき、所定の情報提示手段によってカメラ使用者に当該カメラが撮影可能な状態に至っていることが知らされる。
【００３３】
充電電流値Ｉ3 による充電状態を一定時間（Ｔｃ）継続すると、メインコンデンサの電圧は満充電レベルに達する。満充電到達以後は充電電流を更に下げて充電電流値Ｉ4 に設定し、充電を続行する。このように、満充電後も低電流値（Ｉ4 ）で充電を続行するのは、高圧ラインに接続されている抵抗による放電の損失を補うためであり、図５のように一定の電流値（Ｉ4 ）による充電を継続する方法に代えて、所定の時間間隔でパルス的に電力補充を与えるようにしてもよい。
【００３４】
撮影待機状態は図４で説明した例と同様に、ＬＣＤの画面上にムービー画が表示される。この撮影待機状態においてシャッターボタンが押されると、カメラは撮影モード状態に移行すべく、先ずストロボ充電動作を中止する。そして、シャッターボタンの押圧操作に呼応して画像データの取り込みを行うとともに、その取得した画像データの記録（書き込み）動作を開始する。なお、画像データの記録手段はメモリカード等の外部記憶媒体でもよいし、内蔵メモリでもよい。そして、記録処理後には第１の充電電流値による充電動作が再開される。
【００３５】
上述した本発明の実施の形態に係るストロボ装置付きカメラの制御シーケンスを消費電流の観点から整理すると以下の通りとなる。
【００３６】
図５で説明したように、ストロボの充電開始時には充電電流はＩ1 に設定されている。ストロボ充電回路２０からストロボ充電完了信号Ｃokが出力されると、充電電流がＩ3 に下げられ充電が続行される。この場合、充電電流Ｉ3 はＩ1 よりも小さいのでメインコンデンサが満充電レベルに達するのに要する時間はＴc となり、図２に示した時間Ｔa と比較して時間が長くなっている。なお、Ｔa に対してＴc がどの程度長くなるかはＩ3 の大きさに依存する。
【００３７】
一方、ＬＣＤの消費電流は図３で説明した通りである。本発明が適用されたカメラの制御シーケンスの場合、図５においてストロボ充電完了信号Ｃokが出力されたタイミングでＬＣＤの立ち上げが開始される。かかるシーケンスにおける消費電流を図６に示す。図６に示すように、ストロボ充電完了信号（Ｃok）からモニター画出力が得られるまでの時間はＴb となり、図４で説明した制御例のＴa ＋Ｔb よりも短時間になる。これにより、カメラセットとしてより早く撮影可能な状態にすることができる。
【００３８】
次に、本発明の他の実施の形態を説明する。
【００３９】
図１に示したカメラ１０のシステムにおいて、図７に示すような制御シーケンスを採用してもよい。すなわち、図示しない電源スイッチの操作によりカメラシステムに電源が投ぜられると、シスコン１６の指示によりカメラ１０を撮影可能状態にするためにストロボ充電回路２０を起動させメインコンデンサへの充電を開始する。この時、充電電流は第１の充電電流値に設定される。
【００４０】
充電中メインコンデンサの電圧は充電電圧検知回路３４によって監視され、メインコンデンサの充電電圧が予め定められている設定電圧に達すると、充電電流が前記第１の充電電流値よりも小さい第２の充電電流値に切り替えられて充電が続行される。この充電電流の切り替え処理と同時に、ＬＣＤバックライト回路２２及び撮像回路２６への電源供給を開始する。
【００４１】
設定電圧は撮影可能電圧よりも所定量だけ低い値に設定されており、例えば、撮影可能電圧が２７０Ｖであるとき、設定電圧はこれよりも３０Ｖだけ低い２４０Ｖに設定される。また、第２の充電電流値は電源部１２の能力に応じてストロボ充電回路２０以外の他の回路（ＬＣＤバックライト回路２２及び撮像回路２６等）を正常に作動させながら、これと並行してストロボ充電回路２０に供給できる電流値に設定される。
【００４２】
第２の充電電流値による充電に切り替えられてから一定時間（Ｔd ）後に、メインコンデンサは撮影可能電圧に到達し、ＬＣＤにはムービー画が表示され、撮影可能な状態（撮影待機状態）となる。
【００４３】
その後も第２の充電電流値による充電が続行され、満充電レベルに達した以降は充電電流を更に引き下げて第３の充電電流値に設定し、接続抵抗による放電を補うために充電を続行する。図５でも説明したように、放電による損失を補償する充電については一定の電流値による充電を継続する方法に代えて、所定の時間間隔でパルス的に充電してもよい。
【００４４】
撮影待機状態においてシャッターボタンが押されると、カメラは撮影モード状態に移行すべく、先ずストロボ充電動作を中止する。そして、シャッターボタンの押圧操作に呼応して画像データの取り込みを行うとともに、その取得した画像データの記録（書き込み）動作を開始する。
【００４５】
このように、メインコンデンサが撮影可能電圧に達する以前からＬＣＤバックライト回路２２及び撮像回路２６に電源を供給するようにしたので、メインコンデンサが撮影可能電圧に到達すると直ちに撮影を行うことができ、充電開始から撮影可能状態に至るまでの準備時間を短縮することができる。
【００４６】
設定電圧や第１の充電電流値及び第２の充電電流値は電源部１２の能力に応じてそれぞれ適当な値に設定されるが、最大電力検知回路１４によって電源部１２の最大電力を検知し、その検知結果に基づいてシスコン１６の指示により設定電圧、第１の充電電流値及び第２の充電電流値のうち少なくとも一つの値を適宜に最適な値に自動調整する機能を付加することにより、充電開始から撮影準備完了までに要する時間を一層短縮することができる。
【００４７】
上記説明では電源スイッチの操作に伴う電源立ち上げ時の動作を例に説明したが、電源立ち上げ時に限らず、再生モードから撮影モードへの切り替え時などモード変更による撮影モードへの移行時の動作等においても同様の充電制御シーケンスが適用される。
【００４８】
また、上記説明では本発明をＬＣＤ付きカメラに適用した例を述べたが、ＬＣＤ等の画像表示装置を有しないカメラの場合にはシャッターボタンの押圧操作に連動してカメラ回路を起動させるようにしてもよい。この場合、充電電圧が撮影可能電圧に到達した以後は充電電流値を下げるとともに、直ちに撮影待機状態となり撮影開始の指示入力を受け付ける。
【００４９】
【発明の効果】
以上説明したように本発明に係るストロボ装置付きカメラによれば、スロトボの充電電圧が満充電レベル手前の発光可能電圧に到達した以後は充電電流を下げて充電を続行するとともに、この段階でカメラ回路を起動する等により早期に撮影できる状態に整える制御方法を採用したので、ガイドナンバーの低下や発光可能時間の減少といったストロボ性能の低下を招くことなく、充電開始から撮影可能状態までの準備時間を短縮することができ、スロトボ撮影時に速写性の高いカメラを提供することができる。
【００５０】
また、本発明に係るストロボ装置付きカメラによれば、スロトボの充電電圧が発光可能電圧よりも更に所定量だけ低い設定電圧に到達した以降は充電電流を下げて充電を続行する一方、これと同時にカメラ回路の起動を開始させるようにしたので、ストロボの性能を落さずに、充電電圧が発光可能なレベルに到達後すぐに撮影できる状態になる。
【図面の簡単な説明】
【図１】本発明の実施の形態に係るストロボ装置付きカメラの構成を示すブロック図
【図２】一般的な充電制御方法によるストロボ充電時のストロボブロックの消費電流を示すグラフ図
【図３】液晶ディスプレイ（ＬＣＤ）立ち上げ時のＬＣＤブロックの消費電流を示すグラフ図
【図４】一般的な充電制御方法によるストロボブロックとＬＣＤブロックとを合わせた消費電流を示すグラフ図
【図５】本発明を適用したストロボ装置付きカメラの充電制御方法によるストロボ充電時のストロボブロックの消費電流を示すグラフ図
【図６】本発明を適用したストロボ装置付きカメラの充電制御方法によるストロボブロックとＬＣＤブロックとを合わせた消費電流を示すグラフ図
【図７】本発明の他の実施の形態に係るストロボ装置付きカメラの充電制御方法によるストロボブロックとＬＣＤブロックとを合わせた消費電流を示すグラフ図
【符号の説明】
１０…カメラ
１２…電源部
１４…最大電力検知回路
１６…システムコントローラ（制御部）
２０…ストロボ充電回路
２２…ＬＣＤバックライト回路（カメラ回路）
２４、２８、３２…ＤＣＤＣコンバータ（カメラ回路）
２６…撮像回路（カメラ回路）
３０…デジタル回路（カメラ回路）
３４…充電電圧検知回路
３６…充電電流制御回路（制御部）
【図１】
0004058846.tif 000002
【図２】
0004058846.tif 000003
【図３】
0004058846.tif 000004
【図４】
0004058846.tif 000005
【図５】
0004058846.tif 000006
【図６】
0004058846.tif 000007
【図７】
0004058846.tif 000008